(57)【要約】【課題】キーボード本体を自立状態に支持することを可能とすると共に使用状態の際のキー操作角度を変更することも可能とする可動脚を有し、且つこの可動脚を使用しないときに収納してコンパクトなものとすることができるキーボード装置を得ること。【解決手段】キーボード装置５０は、キーボード本体１０の裏面に出没可能に設けられた可動脚３０，３０を有している。可動脚３０，３０は、キーボード本体１０の裏面に形成された収納凹部１２，１２に没する収納位置と収納凹部１２，１２から突出する作用位置との間を可動するように設けられ、キーボード本体１０から突出した作用位置において、キーボード本体１０を自立状態に支持可能とすると共に、キーボード本体１０の使用状態の際のキー操作角度を変更可能とする。【選択図】        図１
0003119804.tif 000002
【実用新案登録請求の範囲】
【請求項１】
複数の押下キーが配列されたキーボード本体と前記キーボード本体の裏面に設けられた可動脚とを有するキーボード装置において、
前記可動脚は、前記キーボード本体の裏面に形成された収納凹部に没する収納位置と前記収納凹部から突出する作用位置との間を可動するように設けられ、前記作用位置において、前記キーボード本体を自立状態に支持し得ると共に、使用状態の際のキー操作角度を変更し得る
ことを特徴とするキーボード装置。
【請求項２】
前記可動脚は、前記作用位置にあるときに、前記自立状態で机上面と対向して前記キーボード本体の短手方向に延びる第１辺と前記使用状態で机上面と対向して前記キーボード本体の短手方向に延びる第２辺とを有する
ことを特徴とする請求項１に記載のキーボード装置。
【請求項３】
一対の前記可動脚が、前記キーボード本体の裏面後部両端に設けられている
ことを特徴とする請求項１または２に記載のキーボード装置。
【請求項４】
前記可動脚は、概略平板状をなし、一端を軸支されて可動可能とされ、前記作用位置に突出したとき、前記収納凹部の内壁面に押し当たって位置決めされる
ことを特徴とする請求項１から３のいずれか１項に記載のキーボード装置。
【請求項５】
前記可動脚の回動軸は、前記自立状態で机上面に概略垂直である
ことを特徴とする請求項４に記載のキーボード装置。
【請求項６】
前記可動脚の前記作用位置は、前記収納位置より回動し前記使用状態で机上面に概略垂直となる位置よりさらに所定の角度回動した位置である
ことを特徴とする請求項４または５に記載のキーボード装置。
【請求項７】
前記可動脚の前記収納位置より前記作用位置への回動方向が、内側から外側である
ことを特徴とする請求項４から６のいずれか１項に記載のキーボード装置。
【請求項８】
前記可動脚は、前記収納位置に収納された際、前記キーボード本体の背面より端部を突出させる
ことを特徴とする請求項４から７のいずれか１項に記載のキーボード装置。
【請求項９】
前記キーボード本体の背面に前記可動脚と協同して前記キーボード本体を自立状態に支持し得る支持用突起が設けられている
ことを特徴とする請求項１から８のいずれか１項に記載のキーボード装置。
【請求項１０】
一対の前記支持用突起が、前記キーボード本体の背面両端部に前記可動脚に対して短手方向反対側に設けられている
ことを特徴とする請求項９に記載のキーボード装置。
【考案の詳細な説明】
【技術分野】
【０００１】
この考案は、パーソナルコンピュータ等の情報処理装置に入力するための入力手段として使用するキーボード装置に関するものであり、特に、キーボード装置の未使用時には自立状態に保つことができるキーボード装置に関するものである。
【背景技術】
【０００２】
パーソナルコンピュータ等の情報処理装置に入力をするためのキーボード装置は、一般に机上面に水平に置いた状態にて使用される。しかしながら、このキーボード装置は、使用の有無に拘わらず常に机上の所定の設置面積を占有してしまう。そのため、キーボード装置未使用時に机上のスペースを有効に利用することができない。
【０００３】
そのため、従来、キーボード装置を未使用時に自ら立つ自立状態に保てるようにして、これにより、キーボード装置未使用時の机上面の占有面積を小さくする提案がされている（例えば、特許文献１参照）。
【０００４】
【特許文献１】特開２０００−５６９０３号公報
【考案の開示】
【考案が解決しようとする課題】
【０００５】
上述の文献１に記載のキーボード装置においては、キーボード本体の後部に電池収納部を兼ねた可動脚を有している。この可動脚はキーボード本体の後部で全長にわたって平行に延び、キーボード本体に平行な軸によりキーボード本体に回動自在に取り付けられている。そして、所定の回動位置により、キーボード本体を自立状態に支持することを可能とすると共に、他の回動位置にて使用状態のキー操作角度を変更することを可能とする。
【０００６】
しかしながら、このような構成の従来のキーボード装置においては、可動脚がキーボード本体に対して常に突出した状態にあるので、コンパクト性に欠けるという未解決の課題を有していた。
【０００７】
この考案は上述のような課題を解決するためになされたもので、キーボード本体を自立状態に支持することを可能とすると共に使用状態の際のキー操作角度を変更することも可能とする可動脚を有し、且つこの可動脚を使用しないときにキーボード本体内に収納してコンパクトなものとすることができるキーボード装置を得ることを目的とする。
【課題を解決するための手段】
【０００８】
上記課題を解決するために、この考案に係るキーボード装置は、複数の押下キーが配列されたキーボード本体とキーボード本体の裏面に設けられた可動脚とを有するキーボード装置において、可動脚は、キーボード本体の裏面に形成された収納凹部に没する収納位置と収納凹部から突出する作用位置との間を可動するように設けられ、作用位置において、キーボード本体を自立状態に支持し得ると共に、使用状態の際のキー操作角度を変更し得ることを特徴とする。
【０００９】
また、可動脚は、作用位置にあるときに、自立状態で机上面と対向してキーボード本体の短手方向に延びる第１辺と使用状態で机上面と対向してキーボード本体の短手方向に延びる第２辺とを有することを特徴とする。
【００１０】
さらに、一対の可動脚が、キーボード本体の裏面後部両端に設けられていることを特徴とする。
さらにまた、可動脚は、概略平板状をなし、一端を軸支されて可動可能とされ、作用位置に突出したとき、収納凹部の内壁面に押し当たって位置決めされることを特徴とする。
【００１１】
また、可動脚の回動軸は、自立状態で机上面に概略垂直であることを特徴とする。
さらに、可動脚の作用位置は、収納位置より回動し使用状態で机上面に概略垂直となる位置よりさらに所定の角度回動した位置であることを特徴とする。
【００１２】
さらにまた、可動脚の収納位置より作用位置への回動方向が、内側から外側であることを特徴とする。
また、可動脚は、収納位置に収納された際、キーボード本体の背面より端部を突出させることを特徴とする。
【００１３】
さらに、キーボード本体の背面に可動脚と協同してキーボード本体を自立状態に支持し得る支持用突起が設けられていることを特徴とする。
さらにまた、一対の支持用突起が、キーボード本体の背面両端部に可動脚に対して短手方向に反対側に設けられていることを特徴とする。
【考案の効果】
【００１４】
この考案に係るキーボード装置によれば、キーボード本体の裏面に形成された収納凹部に没する収納位置と収納凹部から突出する作用位置との間を可動するように設けられ、作用位置において、キーボード本体を自立状態に支持し得ると共に、使用状態の際のキー操作角度を変更し得る可動脚を有するので、キーボード本体を自立状態に支持することを可能とすると共に使用状態の際のキー操作角度を変更することも可能とする可動脚を有し、且つこの可動脚を使用しないときに収納してコンパクトなものとすることができる。
【００１５】
また、可動脚は、作用位置にあるときに、自立状態で机上面と対向してキーボード本体の短手方向に延びる第１辺と使用状態で机上面と対向してキーボード本体の短手方向に延びる第２辺とを有するので、キーボード本体を自立状態に安定した状態で支持することができるとともに、キーボード装置の使用状態において、キーボード本体を所定の角度に安定させることができる。
【００１６】
さらに、一対の可動脚が、キーボード本体の裏面後部両端に設けられているので、使用状態および自立状態のいずれの状態においてもキーボード本体を安定して支持できると共に、収納位置から作用位置に引き出す際に操作が容易である。
【００１７】
さらにまた、可動脚は、概略平板状をなし、一端を軸支されて可動可能とされ、作用位置に突出したとき、収納凹部の内壁面に押し当たって位置決めされるので、簡易な構造により、可動脚を実現することができ、コストダウンを図ることができる。
【００１８】
また、可動脚の回動軸は、自立状態で机上面に概略垂直である。そのため、自立状態のときにキーボード本体に振れたり机が揺れたりした場合に、回転軸に力は作用するが、可動脚を収納位置方向に戻すような力が可動脚に働くことがなく、特にノッチ等の固定手段を設けない場合においても安定して支持することができる。
【００１９】
さらに、可動脚の作用位置は、収納位置より回動し自立状態で机上面に概略垂直となる位置よりさらに所定の角度回動した位置であるので、自立状態のときにキーボード本体に振れてしまったり、机が揺れてしまったりした場合でも、可動脚が誤って収納位置方向に戻ってしまうことがなくキーボード本体を安定して支持することができる。
【００２０】
さらにまた、可動脚の収納位置より作用位置への回動方向が、内側から外側であるので、可動脚を作用位置へ立設させる際に自然な操作で引き出すことができる。
また、可動脚は、収納位置に収納された際、キーボード本体の背面より端部を突出させるので、可動脚を収納位置から作用位置に立てる際に、この端部に指をかけやすく操作が容易である。
【００２１】
さらに、キーボード本体の背面に可動脚と協同してキーボード本体を自立状態に支持し得る支持用突起が設けられているので、机上面と接触する支持接触面を小さくすることができ、机上面の平面度に影響されずにさらに安定して支持することができる。
【００２２】
さらにまた、一対の支持用突起が、キーボード本体の背面両端部に可動脚に対して短手方向反対側に設けられているので、自立状態の際、広い支持間隔で安定して支持することができる。
【００２３】
なお、ここで言う使用状態とは、キーボード装置が操作者に操作可能な状態に置かれていることを意味する。つまり、キーボード装置が例えば机上面に押下キーが配列された面を上にして置かれている状態のことを言う。
【考案を実施するための最良の形態】
【００２４】
以下、本考案に係るキーボード装置の実施の形態を図面に基づいて詳細に説明する。なお、この実施の形態によりこの考案が限定されるものではない。
【００２５】
［実施の形態］
図１はこの考案に係るキーボード装置が自立状態で可動脚が作用位置にある様子を裏面斜め後ろから見た斜視図である。本実施の形態のキーボード装置５０は、使用状態と自立状態の２つの状態になることができる。使用状態とは、例えば机上面に押下キーが配列された面を上にして置かれキーボード装置が操作者に操作可能な状態とされる状態のことであり、自立状態とは、図１に示すような机上面に概略垂直に立てられた状態のことである。キーボード装置５０は、概略断面くさび形の矩形平板状を成しており、表面に複数の押下キー１１（図３）が配列されているキーボード本体１０と、このキーボード本体１０に取り付けられた一対の可動脚３０，３０とから構成されている。可動脚３０，３０は、キーボード本体１０の押下キー１１が配列された面と反対側の面である裏面１０ａに取り付けられている。そして、可動脚３０，３０は、キーボード本体１０内に埋没する収納位置とキーボード本体裏面から突出する作用位置との間で可動可能とされている。
【００２６】
図２は可動脚３０，３０が作用位置にある様子を裏面から見た図である。また、図３は同じく可動脚３０，３０が作用位置にある様子を後方から見た図である。図４は図３のＶ−Ｖ線に沿う矢視断面図である。図２において、キーボード本体１０の裏面１０ａの後部（キーボード装置５０の使用状態において、操作者に近い側を前、操作者から遠い側を後とする）両端に、各々表面から所定の深さだけ窪んだ概略矩形の収納凹部１２，１２が凹設されている。収納凹部１２，１２は、キーボード本体１０の裏面１０ａに開口するとともに、図３に示されるように、一部は背面（キーボード装置５０の使用状態において、操作者から遠い側の端部に机上面に概略垂直に形成される端面）にも開口している。可動脚３０，３０は、この収納凹部１２，１２に収納される。
【００２７】
図４に示されるように、可動脚３０，３０は、矩形平板の一角部が矩形に切り欠かれたような概略Ｌ字平板状を成し、一端に設けられた軸部３３，３３を収納凹部１２，１２の対向する２つの内壁面に回転自在に軸支されて回動可能とされている。可動脚３０，３０の回動軸は、キーボード本体１０が自立状態のときに、机上面に対して概略垂直となる向きにされている。そして、可動脚３０，３０は、収納凹部１２，１２内に埋没する収納位置（図６に示す位置）と、この収納凹部１２，１２から各々内側から外側へ約１２０度回動して裏面から突出する作用位置（図１乃至図４に示す位置）との間で、可動可能とされている。つまり、可動脚３０，３０は、収納凹部１２，１２から各々内方から外方へ約１２０度回動して突出する。すなわち、可動脚３０，３０の作用位置は、収納位置より回動を始めて使用状態で机上面に概略垂直となる位置（９０度）よりさらに所定の角度（約３０度）回動した位置である。そして、可動脚３０，３０は、作用位置に突出したとき、側面を収納凹部１２，１２の一内壁面に押し当てられて位置決めされて、さらにこの位置で収納凹部１２，１２の底面に形成されたバネ部１５に押圧されて戻ることを規制されることにより位置決めされる。
【００２８】
キーボード本体１０の背面１０ｂの両端部に一対の支持用突起１３，１３が突設されている（図２）。この一対の支持用突起１３，１３は、図４に示されるように、キーボード本体１０の背面１０ｂの両端部にて、可動脚３０，３０に対してキーボード本体１０の短手方向反対側となる位置に設けられている。
【００２９】
図５は可動脚３０がキーボード本体１０の背面１０ｂから突出している様子をキーボード本体１０の表面の一部を拡大して示す図である。図６は可動脚３０が収納凹部１２に収納されこの状態で可動脚３０の端部がキーボード本体１０の背面１０ｂから突出している様子をキーボード本体１０の裏面の一部を拡大して示す図である。図７は可動脚３０を収納位置から作用位置に立ち上げる際に収納凹部１２から突出した端部に親指をかけ所定の角度だけ引き出した様子を示す図である。図８は図７に示した状態からさらに人差指にて作用位置まで立ち上げようとする様子を示す図である。
【００３０】
図５から図８に示されるように、本実施の形態のキーボード装置５０においては、可動脚３０，３０は、それぞれ収納位置に収納された際、キーボード本体１０の背面１０ｂより端部を突出させており、また、可動脚３０，３０の回動軸は、自立状態で机上面に概略垂直であり、さらに可動脚３０，３０の収納位置より作用位置への回動方向が、内側から外側であるので、可動脚３０，３０を収納位置から作用位置に立てる際に、指をかけやすく操作が容易である。
【００３１】
図１に戻り、可動脚３０，３０は、外縁に第１辺３１と第２辺３２とを有している。第１辺３１は、可動脚３０，３０がキーボード本体１０から突出した作用位置にあるときに、図１に示されるように、自立状態において図示しない机上面と対向してキーボード本体１０の短手方向に延びるように設けられている。また、第２辺３２は、使用状態において机上面１００と対向してキーボード本体１０の短手方向に延びるように設けられている（図９）。
【００３２】
そして、可動脚３０，３０は、キーボード本体１０から突出した作用位置において、キーボード本体１０を自立状態に支持する。なお、キーボード本体１０が自立状態となった際、第１辺３１は、全長にわたって机上面に接触するようにされている。そして、この自立状態では、キーボード本体１０の背面１０ｂ両端部に設けられた２個の支持突起１３，１３（図２，図４）も机上面に接触する。つまり、自立状態のキーボード本体１０は、２個の可動脚３０，３０の第１辺３１，３１と、２個の支持突起１３，１３によって自立状態に支持される。このとき、可動脚３０，３０と２個の支持突起１３，１３とは、キーボード本体１０の背面１０ｂの両端部にて、互いに短手方向に反対側に設けられているので、広い支持間隔で安定して支持することを可能とすると共に、支持接触面を小さくすることができるので、机上面の平面度に影響されずにさらに安定して支持することを可能とする。
【００３３】
図９はこの考案に係るキーボード装置が使用状態で可動脚が作用位置にある様子を示す側面図である。図１０はこの考案に係るキーボード装置が使用状態で可動脚が収納位置にある様子を示す側面図である。可動脚３０，３０は、キーボード本体１０から突出した作用位置において、使用状態のキーボード本体１０の支持をする。キーボード本体１０が使用状態となった際、第２辺３２は、全長にわたって机上面に接触するようにされている。これにより、可動脚３０，３０は、図１０に示す使用状態（傾き角θ１）よりも所定の角度さらに傾いた図９に示す使用状態（傾き角θ２）にてキーボード本体１０を安定して支持する。すなわち、可動脚３０，３０は、キーボード本体１０の使用状態の際のキー操作角度を変更可能とする。
【００３４】
なお、本実施の形態においては、キーボード装置５０が机上面に置かれるものとして説明しているが、これに限定されるものではない。
【産業上の利用可能性】
【００３５】
以上のように、この考案のキーボード装置は、パーソナルコンピュータ等の情報処理装置に入力するための入力手段として使用するキーボード装置に好適なものであり、特に、机上面を有効に活用したい場合に最適なものである。
【図面の簡単な説明】
【００３６】
【図１】図１はこの考案に係るキーボード装置が自立状態で可動脚が作用位置裏面斜め後ろから見た斜視図である。
【図２】図２はこの考案に係るキーボード装置の可動脚が作用位置にある様子を裏面から見た図である。
【図３】図３はこの考案に係るキーボード装置の可動脚が作用位置にある様子を後方から見た図である。
【図４】図４は図３のＶ−Ｖ線に沿う矢視断面図である。
【図５】図５は可動脚がキーボード本体の背面から突出している様子をキーボード本体の表面の一部を拡大して示す図である。
【図６】図６は可動脚が収納凹部に収納されこの状態で可動脚の端部がキーボード本体の背面から突出している様子をキーボード本体の裏面の一部を拡大して示す図である。
【図７】図７は可動脚収納位置から作用位置に立てる際に収納凹部から突出した端部に親指をかけ所定の角度だけ引き出した様子を示す図である。
【図８】図８は図７に示した状態からさらに人差指にて作用位置まで立ち上げようとする様子を示す図である。
【図９】図９はこの考案に係るキーボード装置が使用状態で可動脚が作用位置にある様子を示す側面図である。
【図１０】図１０はこの考案に係るキーボード装置が使用状態で可動脚が収納位置にある様子を示す側面図である。
【符号の説明】
【００３７】
１０    キーボード本体
１０ａ    キーボード本体の裏面
１０ｂ    キーボード本体の背面
１１    押下キー
１２    収納凹部
１３    支持突起
１５    バネ部
３０    可動脚
３１    第１辺
３２    第２辺
３３    軸部
５０    キーボード装置
【図１】
0003119804.tif 000003
【図２】
0003119804.tif 000004
【図３】
0003119804.tif 000005
【図４】
0003119804.tif 000006
【図５】
0003119804.tif 000007
【図６】
0003119804.tif 000008
【図７】
0003119804.tif 000009
【図８】
0003119804.tif 000010
【図９】
0003119804.tif 000011
【図１０】
0003119804.tif 000012